(57)【要約】      （修正有）【課題】磁石およびバックアイアンを含む装置のサイズを低減する。【解決手段】固定子歯を含む固定子アセンブリと、前記固定子アセンブリを支持するように構成される基部と、ハブ３０２に結合されるバックアイアン３０４と磁石３０６を備え、前記ハブ３０２は前記基部に垂直な軸のまわりで回転するように構成され、前記磁石３０６は前記固定子歯に近接し、前記固定子アセンブリは前記磁石３０６を回転させるよう動作可能である。加えて、磁石３０６がバックアイアン３０４に共に形成される。【選択図】図３
2015053851.tif 000002
【特許請求の範囲】
【請求項１】
固定子歯を含む固定子アセンブリと、
前記固定子アセンブリを支持するように構成される基部と、
ハブに結合されるバックアイアンとを備え、前記ハブは前記基部に垂直な軸のまわりで回転するように構成され、さらに、
前記固定子歯に近接する磁石を備え、
前記固定子アセンブリは前記磁石を回転させるよう動作可能であり、
前記磁石は前記バックアイアンに共に形成される、装置。
【請求項２】
コーティングが前記バックアイアンおよび前記磁石を取り囲む、請求項１に記載の装置。
【請求項３】
前記バックアイアンは第１のキャビティを含み、前記磁石は前記第１のキャビティの中にある磁性環状部である、請求項１に記載の装置。
【請求項４】
第２の磁性環状部をさらに含み、前記バックアイアンは第２のキャビティを含み、前記第２の磁性環状部は前記バックアイアンの前記第２のキャビティの中にある、請求項３に記載の装置。
【請求項５】
前記第２の磁性環状部は前記バックアイアンの底部部分にある、請求項４に記載の装置。
【請求項６】
前記第２の磁性環状部は前記ハブを軸方向に付勢するために動作可能である、請求項５に記載の装置。
【請求項７】
前記バックアイアンは前記磁石に構造的強度を与えるように構成される、請求項１に記載の装置。
【請求項８】
前記磁石は前記バックアイアンの鉛直部分に共に形成される、請求項１に記載の装置。
【請求項９】
ハブと、
前記ハブに結合されるバックアイアンと、
前記バックアイアンに共に形成される磁性環状部とを含む、装置。
【請求項１０】
前記バックアイアンは前記磁性環状部の３つの側部に結合される、請求項９に記載の装置。
【請求項１１】
前記バックアイアンの鉛直部分に環状チャネルをさらに含む、請求項９に記載の装置。
【請求項１２】
前記バックアイアンにおける第１の環状チャネルと、
前記バックアイアンにおける第２の環状チャネルと、
磁性リングとをさらに含み、前記磁性リングは前記第２の環状チャネルにある、請求項９に記載の装置。
【請求項１３】
前記第２の環状チャネルは前記バックアイアンの底部部分に形成され、
前記磁性リングは前記ハブを軸方向に付勢するために動作可能である、請求項１２に記載の装置。
【請求項１４】
前記磁性環状部の頂部および底部は前記バックアイアンから実質的に自由である、請求項９に記載の装置。
【請求項１５】
バックアイアンおよび成形型で成形キャビティを規定することと、
前記成形キャビティにおいて前記バックアイアンに磁性材料を共に形成することと、
前記磁性材料を磁化して磁石を製造することと、
前記バックアイアンをハブに結合することとを含む、方法。
【請求項１６】
前記磁性材料を前記成形キャビティに注入することをさらに含む、請求項１５に記載の方法。
【請求項１７】
前記バックアイアンは前記成形キャビティの３つの側部を規定する、請求項１５に記載の方法。
【請求項１８】
前記バックアイアンおよび前記磁石のまわりにコーティングを施すことをさらに含む、請求項１５に記載の方法。
【請求項１９】
前記バックアイアンおよび前記成形型で別の成形キャビティを形成することをさらに含む、請求項１５に記載の方法。
【請求項２０】
前記バックアイアンにおける別の成形キャビティに前記磁性材料を共に形成することをさらに含む、請求項１５に記載の方法。
【発明の詳細な説明】
【背景技術】
【０００１】
背景
電気モータは、固定子、磁石、および／またはコイルを用いて物体を回転させてもよい。たとえば、モータは、ディスクドライブ記憶装置において用いられるデータ記憶ディスクを回転させてもよい。データ記憶ディスクは、動作中に、固定子、磁石、および／またはコイルを用いて、高速で回転されてもよい。たとえば、磁石およびコイルは、固定子と相互に作用して、固定子に対するディスクの回転を引きおこしてもよい。
【０００２】
いくつかの場合では、電気モータは、ますます低減されたサイズで製造されている。たとえば、ディスクドライブ記憶装置のサイズを低減するために、ディスクドライブ記憶装置のさまざまな構成要素のサイズが低減されてもよい。そのような構成要素は、電気モータ、固定子、磁石、および／またはコイルを含んでもよい。固定子、磁石およびコイルが製造される精度は、電気モータの音響的特性および性能に影響し得る。
【発明の概要】
【課題を解決するための手段】
【０００３】
概要
装置はハブを含む。装置は、さらに、ハブに結合されるバックアイアンを含む。加えて、磁性環状部がバックアイアンに共に形成される。
【０００４】
実施の形態のこれらならびに他の局面および特徴は、以下の図面、記載および特許請求の範囲を参照して、一層よく理解されるであろう。
【０００５】
図面の簡単な記載
この発明は、同様の参照番号は同様の要素を指す添付の図面において、限定としてではなく、例として示される。
【図面の簡単な説明】
【０００６】
【図１】本実施の形態の１つの局面に従う、いくつかの固定子歯、磁性環状部およびバックアイアンの頂部の図である。
【図２】本実施の形態の１つの局面に従う、例示的なバックアイアンおよびハブの断面図である。
【図３】本実施の形態の１つの局面に従う、固定子歯、バックアイアン、バックアイアンに共に形成された磁性環状部、およびハブの断面図である。
【図４】本実施の形態の１つの局面に従う、バックアイアン、バックアイアンに共に形成された磁性環状部、およびハブの断面図である。
【図５Ａ】本実施の形態の１つの局面に従って、成形型を用いてバックアイアンに磁石を共に形成する断面図である。
【図５Ｂ】本実施の形態の１つの局面に従って、成形型を用いてバックアイアンに磁石を共に形成する断面図である。
【図６Ａ】本実施の形態の１つの局面に従って、両方ともバックアイアンに共に形成される第１の磁石および第２の磁石の断面図である。
【図６Ｂ】本実施の形態の１つの局面に従って、両方ともバックアイアンに共に形成される第１の磁石および第２の磁石の断面図である。
【図６Ｃ】本実施の形態の１つの局面に従う、磁石、バックアイアンおよびクラムシェル工具の断面図である。
【図６Ｄ】本実施の形態の１つの局面に従う、ハブ、第１の磁石を有する第１のバックアイアン、および第２の磁石を有する第２のバックアイアンの断面図である。
【図７】本実施の形態の１つの局面に従う、磁石をバックアイアンに共に形成するための例示的な流れ図を示す。
【図８】バックアイアンに共に形成された１つ以上の磁石の実施の形態が用いられてもよい従来のハードディスクドライブの平面図である。
【発明を実施するための形態】
【０００７】
詳細な記載
さまざまな実施の形態をより非常に詳しく記載する前に、それら実施の形態はここに記載および／または示される特定の実施の形態に限定されないことが理解されるべきであり、なぜならば、そのような実施の形態における要素は別のものにしてもよいからである。同様に、ここに記載および／または示される特定の実施の形態は、当該特定の実施の形態から容易に切離すことができ、かつ任意にいくつかの他の実施の形態のいずれかと組合せるか、または、ここに記載されているいくつかの他の実施の形態のいずれかの中の要素と置換され得る要素を有することも理解すべきである。
【０００８】
また、ここで使用されている用語は実施の形態を説明することを目的としており、当該用語は限定的であるようには意図されない、ということも理解すべきである。別段の指示がない限り、要素またはステップの群の中で異なる要素またはステップを区別または識別するために序数（たとえば、第１の、第２の、第３の、など）が使用されるが、当該序数はその実施の形態の要素またはステップの連続的または数値的な限定を行なうものではない。たとえば、「第１の」、「第２の」および「第３の」要素またはステップは必ずしもその順序で現れる必要はなく、その実施の形態は必ずしも３つの要素またはステップに限定される必要はない。また、別段の指示がない限り、「左」、「右」、「前」、「後ろ」、「頂部」、「底部」、「順方向」、「逆方向」、「時計回り」、「反時計回り」、「上に」、「下に」などのいかなる表示も、または、「上部」、「下部」、「後部」、「前部」、「鉛直」、「水平」、「近位」、「遠位」などの他の類似の用語も、便宜上使用されており、たとえばいかなる特定の固定された位置、向きまたは方向も暗示するよう意図したものではない、ということも理解すべきである。それよりむしろ、そのような表示は、たとえば相対的な位置、向きまたは方向を反映するために用いられる。また、単数形「ある（a, an）」および「その、当該（the）」は、文脈上そうでないとする明確な指示がない限り、複数形の指示対象を含む、ということも理解すべきである。
【０００９】
ここで以下に記載される図８のようなハードディスクドライブ（「ＨＤＤ」）のディスクは、ハウジングの基部の上に取付けられるスピンドルアセンブリを含む電気モータによって高速で回転されてもよい。そのような電気モータは、ヨークから各々延在する、いくつかの固定子歯を含む固定子アセンブリを含む。当該いくつかの固定子歯の各固定子歯は、極性を与えられるよう通電されてもよい界磁コイルを支持する。そのような電気モータは、当該いくつかの固定子歯に近接して配置される１つ以上の永久磁石をさらに含む。当該いくつかの固定子歯上に配置される同数の界磁コイルは、交互する極性で通電されるので、近接する永久磁石に対する界磁コイルの磁気的な吸引または反発は、スピンドルモータアセンブリのスピンドルを回転させ、それによって、１つ以上の読取／書込ヘッドによる読取／書込動作のためにディスクを回転させる。
【００１０】
さまざまな手段を用いて、永久磁石をモータ部品（たとえば基部、バックアイアンなど）に取付けてもよい。接着剤を用い、それによって、磁石とモータ部品との間に組み立て時の「隙間」（たとえば、接着剤が充填された空間）を導入するかもしれない。この隙間はしたがって空間を浪費し、それによって、装置の寸法を増加させる。
【００１１】
磁石がモータ部品とは別に形成されると、磁石は磁石が取付けられるモータ部品（たとえばバックアイアン、ハブ）ほど円形ではないかもしれない。別の変動は、磁性物質によって形成された外周まわりの隙間の変化によってもたらされるかもしれない。たとえば、磁石の磁気的性質によって、磁石はモータ部品に不均等に取付けられ、それによって、中心から外れるかもしれない。言いかえれば、磁石の磁気的性質は、磁石をモータ部品の一方の側に固定する。モータ部品と磁石との間のこれらの変動は磁石を偏心させ、それによって動作中に一様でない電磁力を誘起し、および／または結果として音響的問題を生じる。その結果、磁石およびモータ部品の製造は、偏心および／または音響的問題を制限するために、許容範囲に制限されるかもしれない。
【００１２】
保護コーティングが磁石とモータ部品との組立の後に施されてもよい。保護コーティングは、磁石の一部または他のモータ部品が磁気記憶ディスクから離れて磁気記憶ディスクを損傷するのを防いでもよい。たとえば、もし、磁性材料が磁気ディスクと接触すると、結果として磁気ディスク上で破滅的なエラーが生じるかもしれない。このコーティングは厚みを加えるが、その厚みは部分間で均等ではないかもしれない。コーティングにおける変動は、電気モータ構成要素の回転中に問題（たとえば振動、吸音率、など）を引きおこす場合がある。加えて、このコーティングは、さらに、空間を消費し、それによって、装置の寸法を増大させる。
【００１３】
他方、モータ部品（たとえばバックアイアン）上に磁石を共に形成することは、実質的により円形の磁石を可能にし、それによって、変動および関連付けられる公差を低減する。加えて、隙間を減らしながら１つ以上のモータ部品に磁石を共に形成することは、装置のサイズの低減および使用可能な空間の回復を可能にする。さらに、磁石は、ループ強度（loop  strength）を維持するとともに、磁石とモータ部品との間の隙間を低減しながら、厚みが低減されてもよい。したがって、磁石を別のモータ構成要素に共に形成することは、（たとえば、接着剤によって生じる）磁石とモータ構成要素との間の距離を実質的に取除き、磁石の厚みを低減することができる。磁石を別のモータ構成要素（たとえばバックアイアン）に共に形成することは、さらに、磁石がモータ構成要素と（たとえばバックアイアンの表面の一部と接触している磁石の表面上で）接触しているコーティング層の除去を可能にする。
【００１４】
図１は、本実施の形態の１つの局面に従う、いくつかの固定子歯、磁性環状部およびバックアイアンの頂部の図である。電気モータ１００の部分は、基部１０１、バックアイアン１０２、磁性環状部１０４、固定子歯１０６、ヨーク１０８、界磁コイル１１０、およびシャフト１１２を含む。固定子歯１０６は、基部１０１（たとえば図８の基部床）によって支持される固定子アセンブリの一部であってもよい。１つの実施の形態では、磁性環状部１０４はバックアイアン１０２に共に形成され、それによって、磁性環状部１０４とバックアイアン１０２との間の隙間および変動を除去する。磁性環状部１０４は磁性材料、たとえばネオジム、ホウ素、鉄、またはそれらの組合せを含む。
【００１５】
界磁コイル１１０はヨーク１０８に結合される。固定子歯１０６はヨーク１０８に結合される（たとえば取付けられる）。界磁コイル１１０は固定子歯１０６に磁界を出力させる。磁界によって、磁性環状部１０４は固定子歯１０６に対して押されたり引かれたりし、それによって、磁性環状部１０４は回転する。磁性環状部１０４の回転はバックアイアン１０２を回転させ、バックアイアン１０２に結合されたモータ構成要素（たとえばハブ）を回転させる。たとえば、磁性環状部１０４の回転は、ハブを、基部に垂直な軸のまわり（たとえばシャフト１１２のまわり）で回転させてもよい。バックアイアン１０２は、固定子歯からの磁束を閉ざし、それによって、界磁コイル１１０により生成された磁界が磁気データ記憶領域（たとえば磁気ディスク）に及ぶのを防ぐ。
【００１６】
１つの実施の形態では、固定子歯１０６を含む固定子アセンブリの直径はたとえば１６ｍｍであってもよい。固定子歯１０６と磁性環状部１０４との間の隙間は、たとえば約２５０ミクロン、または１ミリメートルの１／３であってもよい。バックアイアン１０２に結合されるハブの外径は、たとえば２０ｍｍであってもよい。
【００１７】
図２は、本実施の形態の１つの局面に従う、例示的なバックアイアンおよびハブの断面図である。電気モータ２００の部分はハブ２０２およびバックアイアン２０４を含む。バックアイアン２０４はハブ２０２に結合される。バックアイアン２０４は、ハブ２０２上に押圧されるか、滑らせられるか、または（たとえば接着剤または粘着剤で）固着されてもよい。いくつかの実施の形態では、磁石（たとえば磁性環状部１０４）をバックアイアン２０４に共に形成し終わるまで、バックアイアン２０４はハブ２０２とは分離している。したがって、バックアイアン２０４は、ハブ２０２に結合されるとき、磁石を含む。１つの例示的な実施の形態では、バックアイアン２０４は、磁石が共に形成されるべき環状のチャネルまたはキャビティ２０６を含む。
【００１８】
バックアイアン２０４は、それによって、バックアイアン２０４に共に形成される磁石に構造的強度を与えてもよい。１つの実施の形態では、バックアイアン２０４に対して用いられる材料（たとえば鋼）は磁性材料より強く、およびより安価であり、それによって、磁性材料に対する支持を与える。たとえば、磁性材料は、強力な磁界に晒されることによって磁化されてもよい。この強力な磁界は、不十分な強度を有する磁石を歪めるかまたは引き離すかもしれない力を生じ得る。したがって、磁石をバックアイアン上に形成することは、バックアイアンが磁石に構造的な支持を与えることを可能にし、それによって、磁石が磁化工程中に生じる力に耐えるように十分な強度を有しながら、磁石をより薄くすることができる。１つの実施の形態では、より高い等級の磁性材料（たとえば１２以上の等級）を用いることにより、より少ない磁性材料を用いながら十分な磁気特性を与える。さまざまな実施の形態では、磁石によって占められる空間の低減は、バックアイアンに対して利用されてもよく、それによって、構造的に、より強いバックアイアンを可能にする。いくつかの実施の形態では、磁石によって占められる空間の低減を利用して、固定子歯と磁性環状部との間の隙間（たとえば空隙）のサイズを変更してもよい。さまざまな実施の形態では、低減された磁石のサイズは、より小さな全体的モータ設計、またはより大きなおよび／もしくはより小さなモータ構成要素（たとえば固定子、スリーブ、ハブ、リミッタなど）を可能にしてもよい。
【００１９】
図３は、本実施の形態の１つの局面に従う、固定子歯、バックアイアン、バックアイアンに共に形成された磁性環状部、およびハブの断面図である。電気モータ３００の部分は、ハブ３０２、バックアイアン３０４、磁石３０６および固定子歯３０８を含む。
【００２０】
バックアイアン３０４はハブ３０２に結合される。磁石３０６はバックアイアン３０４に共に形成される。磁石３０６は、バックアイアン３０４の環状チャネルまたは環状キャビティ内に形成される。いくつかの実施の形態では、バックアイアン３０４は磁石３０６の３つの側部（たとえば頂部および底部および外径）に結合される。しかしながら、さまざまな実施の形態では、バックアイアン３０４は、磁石３０６の側部のうちの任意の数の側部、１つ以上の側部の部分、または側部および／もしくは部分の組合せに結合してもよい。さらに、いくつかの実施の形態では、磁石３０６および／またはバックアイアン３０４はさまざまな形状を含んでもよい。たとえば、磁石３０６および／またはバックアイアン３０４のキャビティ２０６（図２）の頂部および／または底部および／または側部は、丸みを付けられてもよく、凸部を含んでもよく、および／または凹部を含んでもよい。
【００２１】
磁石３０６は隙間３１０によって固定子歯３０８から分離される。固定子歯３０８は、磁石３０６を回転させる磁界を生成し、それによって、ハブ３０２を回転させる。１つの実施の形態では、固定子歯３０８は磁石３０６の寸法とは異なる寸法（たとえば高さ）を有してもよい。さらなる実施の形態では、固定子歯３０８および磁石３０６は、互いから軸方向にオフセットされていてもよい。たとえば、磁石３０６の中心は、固定子の中心より高くてもよく、それによって、電気モータ３００に磁気バイアスを与えてもよい。
【００２２】
さまざまな実施の形態では、固定子歯と磁石との間の隙間３１０はたとえば１５０〜３００ミクロンの間であってもよい。いくつかの実施の形態は、バックアイアン３０４に関して形状が実質的に一様な、共に形成された磁石を有することによって、固定子歯と磁石との間の隙間における変動を低減する。たとえば、固定子歯と磁石との間の隙間は、５％未満変動してもよく、それによって、電気モータの動作中の音響トーン（acoustic  tone）を低減するかまたは実質的に除去する。
【００２３】
図４は、本実施の形態の１つの局面に従う、バックアイアン、バックアイアンに共に形成された磁性環状部、およびハブの断面図である。電気モータ部分４００は、ハブ４０２、バックアイアン４０４および磁石４０６を含む。磁石４０６はバックアイアン４０４上に共に形成される。１つの実施の形態では、磁石４０６はバックアイアン４０４のチャネルまたはキャビティ内に共に形成されなくてもよい。たとえば、磁石４０６は、バックアイアン４０４の、ある側に共に形成されてもよい。
【００２４】
図５Ａおよび図５Ｂは、本実施の形態の１つの局面に従って、成形型５０６を用いてバックアイアン５０４に磁石５０２を共に形成する断面図である。さまざまな実施の形態では、バックアイアン５０４がハブ３０２に取付けられる前に、磁石５０２がバックアイアン５０４に共に形成されてもよい（図３）。
【００２５】
さまざまな実施の形態では、磁石５０２は、バックアイアン５０４を成型構成要素（たとえばクラムシェルモールド）として用いることによって、共に形成されてもよい。バックアイアン５０４（たとえば４／１６”または４／３０”鋼）はクラムシェルモールドの半分であり、それによって磁石５０２の頂部および底部を支持してもよい。他方の半分は成形型５０６であってもよい。バックアイアン５０４および成形型５０６を一緒に移動させて、成形キャビティ５０８を形成してもよい。次いで、磁石５０２をバックアイアン５０４に共に形成してもよく、成形型５０６は除去され、それによって、バックアイアン５０４に共に形成された磁石５０２を残す。たとえば、材料はチャネル５１０を介してキャビティ５０８に注入されてもよい。材料をバックアイアン５０４に共に形成し、成形型５０６を除去し、材料をさらなるプロセスにおいて磁化し、それによって、磁石５０２を形成してもよい。材料が磁石５０２に形成された後、共に形成された磁石５０２およびバックアイアン５０４は、ハブ３０２に固定（たとえば接着、プレス嵌め、溶接など）される（図３）。
【００２６】
図６Ａおよび図６Ｂは、本実施の形態の１つの局面に従って、両方ともバックアイアン６０４に共に形成される第１の磁石６０２および第２の磁石６１４の断面図である。第１の磁石６０２は第１のバックアイアン６０４の成形キャビティ６０８内に、および第２の磁石６１４はバックアイアン６０４の第２の成形キャビティ６１６内に、工具６１０によって、共に形成される。工具６１０は、バックアイアン６０４に磁性材料を塗布、注入、押出、または取付けるよう動作可能な工具または機械であってもよい。バックアイアン６０４は、磁化工程および磁石を共に形成する工程中において第１の磁石６０２および第２の磁石６１４に構造的な支持および強度を与え、それによって、第１の磁石６０２および第２の磁石６１４をより薄くすることができる。
【００２７】
第１の磁石６０２および第２の磁石６１４は形状において環状である。第１の磁石６０２は（たとえば、図１の固定子歯１０６によって引きおこされる）モータ部品の回転を引きおこすよう動作可能である。第２の磁石６１４は、バックアイアン６０４の底部部分（たとえば第２の成形キャビティ６１６）に形成される。したがって、第２の磁石６１４は、モータ部品（たとえばハブ３０２（図３））を軸方向に付勢するために構成される。第１の磁石６０２、第２の磁石６１４およびバックアイアン６０４は、磁化後に保護コーティングによって取り囲まれてもよい。
【００２８】
図６Ｃは、本実施の形態の１つの局面に従う、磁石６０２、バックアイアン６０４およびクラムシェル工具６１０の断面図である。本実施の形態では、工具６１０は、バックアイアン６０４の代りにクラムシェル形状となっている。したがって、クラムシェル形状の工具６１０を、バックアイアン６０４と組合せて、磁石６０２がバックアイアン６０４上に共に形成されるキャビティを形成する。その結果、クラムシェル形状の工具６１０は、磁石を共に形成する間において、磁石の頂部および底部を支持するバックアイアン（図５Ａおよび図５Ｂを参照）の代りに、磁石６０２を頂部および底部において支持する。
【００２９】
図６Ｄは、本実施の形態の１つの局面に従う、ハブ６５２、第１の磁石６５６を有する第１のバックアイアン６５４、および第２の磁石６６２を有する第２のバックアイアン６６０の断面図である。バックアイアン６５４および６６０はハブ６５２に結合される。第１の磁石６５６は第１のバックアイアン６５４上に共に形成され、第２の磁石６６２は第２のバックアイアン６６０上に共に形成されている。第１の磁石６５６および第２の磁石６６２は、工具または機械（たとえば工具６１０）によって、第１のバックアイアン６５４および第２のバックアイアン６６０上に共に形成されてもよい。第１の磁石６５６は（たとえば、図１の固定子歯１０６によって引きおこされる）モータ部品の回転を引きおこすよう動作可能であってもよい。第２の磁石６６２は、モータ部品（たとえばハブ６５２）を軸方向に付勢するために動作可能であってもよい。
【００３０】
図７は本実施の形態の１つの局面に従う、磁石をバックアイアンに共に形成するための例示的な流れ図を示す。流れ図７００は、１つ以上の磁石を１つ以上のバックアイアン上に共に形成するためのさまざまな実施の形態の形成に従ったさまざまな工程を示す。
【００３１】
ブロック７０２で、第１のバックアイアンが形成される。第１のバックアイアンは鋼から形成されてもよい。
【００３２】
ブロック７０４で、磁性材料が、第１のバックアイアンの、ある部分に適用される。磁性材料は、バックアイアンの環状のキャビティまたはチャネル内に、（たとえば直接）塗布、注入、または押出されてもよい。１つの実施の形態では、磁性材料は、成形型でバックアイアンに適用される（たとえば図５Ａおよび図５Ｂ）。
【００３３】
ブロック７０６で、磁性材料を磁化して磁石を製造する。１つの実施の形態では、磁性材料は、磁性材料およびバックアイアンを加熱しながら磁性材料を磁界に晒すことによって磁化される。
【００３４】
ブロック７０８で、第１のバックアイアンは電気モータ構成要素（たとえばハブ）に結合される。第１のバックアイアンはハブ上に固着／接着、押圧、または滑らされてもよい。
【００３５】
ブロック７１０で、磁性材料が、第１のバックアイアンの第１の部分および前記バックアイアンの第２の部分に適用される。１つの実施の形態では、バックアイアンは第２のキャビティを（たとえばバックアイアンの底部部分上に）含み、磁性材料は第２のキャビティ内に適用される（たとえば図６Ａおよび図６Ｂ）。
【００３６】
ブロック７１２で、磁性材料を磁化して第１の磁石および第２の磁石（たとえば磁石６０２および６１４）を製造する。
【００３７】
ブロック７２０で、第２のバックアイアンが形成される。第２のバックアイアンは鋼から形成されてもよい。
【００３８】
ブロック７２２で、磁性材料が、第１のバックアイアンの第１の部分および第２のバックアイアンの第２の部分に適用される（たとえば図６Ａおよび図６Ｂ）。
【００３９】
ブロック７２４で、磁性材料を磁化して第１の磁石および第２の磁石を製造する。
ブロック７２６で、第１のバックアイアンおよび第２のバックアイアンは電気モータ構成要素（たとえばハブ）に取付けられる。１つの実施の形態では、第２のバックアイアンは、モータ構成要素（たとえば図６Ｂにおけるようなハブ）の底部部分に結合される。
【００４０】
ブロック７２８で、コーティングが、１つ以上の磁石および電気モータ構成要素（たとえば１つ以上のバックアイアン）に施される。コーティングは１つ以上のバックアイアンおよび１つ以上の磁石のまわりに施され、および／またはそれらを取り囲み、それによって電気モータの動作中において保護コーティングとして作用してもよい。
【００４１】
図８は、ここに記載される、共に形成された磁石を用いてもよい、ハードディスクドライブ８００の平面図を与える。ハードディスクドライブ８００は、枠８０３および床部８０４を有する基部床と係合するカバー８０２を含むハウジングアセンブリを含んでもよく、ハウジングアセンブリは、さまざまなハードディスクドライブ構成要素のための保護空間を与える。ハードディスクドライブ８００は、コンピュータ読取可能なデータ記憶媒体の１つ以上のデータ記憶ディスク８０６を含む。典型的には、各データ記憶ディスク８０６の主表面の両方が、データ記憶目的のために、多数の同心円状に配置されたトラックを含む。各データ記憶ディスク８０６はハブ８０８に取付けられ、ハブ８０８は次いで回転可能に基部床および／またはカバー８０２と相互接続される。ハブ８０８は、（上に記載されるように）バックアイアン上に共に形成された、１つ以上の磁石を含んでもよい。複数のデータ記憶ディスク８０６は、典型的には、鉛直方向に間隔を置かれ、かつ平行な関係で、ハブ８０８に取付けられる。スピンドルモータアセンブリ８１０はデータ記憶ディスク８０６を回転させる。
【００４２】
ハードディスクドライブ８００は、さらに、回動軸軸受８１４のまわりで回動するアクチュエータアームアセンブリ８１２を含み、アクチュエータアームアセンブリ８１２は次いで回転可能に基部床および／またはカバー８０２によって支持される。アクチュエータアームアセンブリ８１２は、回動軸軸受８１４の付近から外に延在する１つ以上の個別の剛性のアクチュエータアーム８１６を含む。複数のアクチュエータアーム８１６は、典型的には鉛直方向に間隔を置かれた関係で配置され、１つのアクチュエータアーム８１６が、ハードディスクドライブ８００の各データ記憶ディスク８０６の各主データ記憶面に対して与えられる。他のタイプのアクチュエータアームアセンブリ構成を同様に利用することがあり得、一例は、共通の構造から片持ちになっている、１つ以上の剛性のアクチュエータアーム先端を有する「Ｅ」ブロックなどである。アクチュエータアームアセンブリ８１２の移動は、ボイスコイルモータ８１８などのようなアクチュエータアーム駆動アセンブリによって与えられる。ボイスコイルモータ８１８は、制御電子機器８２０の指示の下でアクチュエータアームアセンブリ８１２の動作を制御する磁気アセンブリである。制御電子機器８２０は、プリント回路基板８２４に結合されたいくつかの集積回路８２２を含んでもよい。制御電子機器８２０は、ピン、ケーブルまたはワイヤ（図示せず）を含むことができる相互接続を用いて、ボイスコイルモータアセンブリ８１８、スライダ８２６またはスピンドルモータアセンブリ８１０に結合されてもよい。
【００４３】
ロードビームまたはサスペンション８２８は、各アクチュエータアーム８１６の自由端に取付けられ、そこからの片持ち状態になっている。典型的には、サスペンション８２８は、ばね状の力によって、概ねその対応するデータ記憶ディスク８０６に向かって付勢される。スライダ８２６は、各サスペンション８２８の自由端に、またはその近くに配置される。読取／書込ヘッドと一般に呼ばれるもの（たとえばトランスデューサ）が、ヘッドユニット（図示せず）としてスライダ８２６の下に適切に取付けられ、ハードディスクドライブ読取／書込動作において用いられる。スライダ８２６下のヘッドユニットは、異方性磁気抵抗（ＡＭＲ）技術、巨大磁気抵抗（ＧＭＲ）技術、トンネル磁気抵抗（ＴｕＭＲ）技術、他の磁気抵抗技術、または他の好適な技術のような、さまざまなタイプの読出センサ技術を利用してもよい。
【００４４】
スライダ８２６下のヘッドユニットは前置増幅器８３０に接続され、前置増幅器８３０は、典型的にはアクチュエータアームアセンブリ８１２に取付けられるフレックスケーブル８３２によって、ハードディスクドライブ８００の制御電子機器８２０と相互接続される。信号が、ハードディスクドライブ読取／書込動作のために、ヘッドユニットとその対応するデータ記憶ディスク８０６との間で交換される。この点において、ボイスコイルモータ８１８を利用して、アクチュエータアームアセンブリ８１２を回動させて、スライダ８２６を、経路８３４に沿って、および対応するデータ記憶ディスク８０６にわたって、同時に移動させて、ヘッドユニットを、ハードディスクドライブ読取／書込動作のために、データ記憶ディスク８０６上の適切な位置に位置決めする。
【００４５】
ハードディスクドライブ８００が動作中でないときは、アクチュエータアームアセンブリ８１２は「待機位置」に回動され、各スライダ８２６を、概ねその対応するデータ記憶ディスク８０６の周囲に、またはそれを越えて配置するが、いかなる場合でも、その対応するデータ記憶ディスク８０６と鉛直方向に間隔を置かれた関係にある。この点において、ハードディスクドライブ８００は、データ記憶ディスク８０６の周囲を越えて配置される傾斜アセンブリ（図示せず）を含んで、対応するスライダ８２６を鉛直方向にその対応するデータ記憶ディスク８０６から離れるように移動させること、およびさらにアクチュエータアームアセンブリ８１２に若干の保持力をかけることの両方を行なう。
【００４６】
ハードディスクドライブ８００の側端部に沿った駆動コネクタ８３８の露出した接触子８３６を用いて、ハードディスクドライブ８００の回路系と、インターポーザ、回路基板、ケーブルコネクタまたは電子アセンブリのような次のレベルの集積との間の接続性を与えてもよい。駆動コネクタ８３８は、ユーザに特化した特徴または構成のためにハードディスクドライブ８００を構成するように用いられてもよいジャンパ（図示せず）またはスイッチ（図示せず）を含んでもよい。ジャンパまたはスイッチは、駆動コネクタ８３８の内で引っ込み、そこから露出してもよい。
【００４７】
したがって、ここに提供されるのは、いくつかの固定子歯を含む固定子アセンブリと；当該いくつかの固定子歯上に単独で配置される、いくつかの界磁コイルと；固定子アセンブリを支持するように構成される基部と；ハブに結合されるバックアイアンとを含み、ハブは基部に垂直な軸のまわりで回転するように構成される、装置である。装置は、さらに、当該いくつかの固定子歯の各々に近接する磁性環状部の形式の磁石を含み、当該いくつかの界磁コイルは磁性環状部を介してハブを回転させるよう動作可能である。したがって、固定子アセンブリは磁石を回転させるよう動作可能である。磁石はバックアイアン上に共に形成される。いくつかの実施の形態では、コーティングがバックアイアンおよび磁性環状部（たとえば磁石）を取り囲み、それによって、保護コーティングとして作用する。
【００４８】
いくつかの実施の形態では、バックアイアンは第１のキャビティを含み、磁石は第１のキャビティの中にある磁性環状部である。いくつかの実施の形態では、装置は、第２の磁性環状部をさらに含み、バックアイアンは第２のキャビティを含み、第２の磁性環状部はバックアイアンの第２のキャビティの中にある。いくつかの実施の形態では、第２の磁性環状部はバックアイアンの底部部分にある。いくつかの実施の形態では、第２の磁性環状部はハブを軸方向に付勢するために動作可能である。いくつかの実施の形態では、バックアイアンは磁性環状部（たとえば磁石）に構造的強度を与えるよう動作可能である。いくつかの実施の形態では、磁性環状部はバックアイアンの鉛直部分と接触している。いくつかの実施の形態では、磁石はバックアイアンの鉛直部分に共に形成される。
【００４９】
さらに提供されるのは、いくつかの固定子歯を含む固定子アセンブリと；当該いくつかの固定子歯上に単独で配置される、いくつかの界磁コイルと；固定子アセンブリを支持するように動作可能である基部とを含む装置が提供される。装置は、さらに、ハブに結合されるバックアイアンを含み、ハブは基部に垂直な軸のまわりで回転するよう動作可能であり、バックアイアンは第１の環状チャネルを含み；装置はさらに、当該いくつかの固定子歯の各々に近接する第１の磁性リングを含み、磁石はバックアイアンの第１の環状チャネルの中に形成される。いくつかの実施の形態では、磁石はバックアイアンに共に形成される磁性環状部である。
【００５０】
いくつかの実施の形態では、バックアイアンは磁性環状部の３つの側部に結合される。いくつかの実施の形態では、第１の磁性リングのある部分は第１の環状チャネルの外部を延在する。いくつかの実施の形態では、第１の環状チャネルはバックアイアンの鉛直部分にある。いくつかの実施の形態では、装置は、さらに、バックアイアンにおける第２の環状チャネルと；第２の磁性リングとを含み、第２の磁性リングは第２の環状チャネルに形成される。いくつかの実施の形態では、第２の磁性リングはバックアイアンの底部部分に形成され、第２の磁性リングはハブを軸方向に付勢するために動作可能である。いくつかの実施の形態では、第１の磁性リングの内側表面は、バックアイアンの鉛直部分と鉛直方向に面一である。いくつかの実施の形態では、磁性環状部の頂部および底部はバックアイアンによって取り囲まれず、したがって、バックアイアンから実質的に自由である。
【００５１】
さらに提供されるのは、バックアイアンを形成することと；バックアイアンの、ある部分に、磁性材料を適用することと；磁性材料を磁化して磁石を製造することと；バックアイアンを電気モータのハブに結合することとを含む、方法である。いくつかの実施の形態では、成形キャビティがバックアイアンおよび成形型で形成され規定される。いくつかの実施の形態では、磁性材料は成形キャビティに注入され、バックアイアン上に共に形成される。いくつかの実施の形態では、バックアイアンは成型キャビティの３つの側部を規定する。
【００５２】
いくつかの実施の形態では、磁性材料は、バックアイアンに直接適用される。いくつかの実施の形態では、この方法はバックアイアンおよび磁石のまわりにコーティングを施すことをさらに含む。いくつかの実施の形態では、磁性材料は成形型でバックアイアンに適用される。いくつかの実施の形態では、バックアイアンはバックアイアンの底部部分上に別の成形キャビティ（たとえば第２の成形型）を含み、磁性材料は第２のキャビティ内に適用される。いくつかの実施の形態では、別の成形キャビティがバックアイアンおよび成形型で形成される。いくつかの実施の形態では、磁性材料はバックアイアンにおける別の成形キャビティに共に形成される。
【００５３】
実施の形態が例によって記載および／または示され、これらの実施の形態および／または例がかなり詳細に記載されたが、実施の形態の範囲を制限するか、またはそれを任意の態様でそのような詳細に限定することは、出願人の意図ではない。実施の形態のさらなる適応物および／または修正物が、記載された実施の形態に照らして容易に現れてもよく、そのより広い局面において、実施の形態は、これらの適応物および／または修正物を包含してもよい。したがって、前述の実施の形態の範囲から逸脱することがなければ、実施の形態からの逸脱がなされてもよい。上に記載された実現例および他の実現例は、以下の特許請求の範囲内にある。
【符号の説明】
【００５４】
１０１  基部、３０２  ハブ、３０４  バックアイアン、３０６  磁石、３０８  固定子歯。
【図１】
2015053851.tif 000003
【図２】
2015053851.tif 000004
【図３】
2015053851.tif 000005
【図４】
2015053851.tif 000006
【図５Ａ】
2015053851.tif 000007
【図５Ｂ】
2015053851.tif 000008
【図６Ａ】
2015053851.tif 000009
【図６Ｂ】
2015053851.tif 000010
【図６Ｃ】
2015053851.tif 000011
【図６Ｄ】
2015053851.tif 000012
【図７】
2015053851.tif 000013
【図８】
2015053851.tif 000014
【外国語明細書】
2015053851000001.pdf